(57)【特許請求の範囲】
【請求項１】
複数フィールド分の映像信号を、磁気テープの長手方向に対して傾斜する記録パターンで、複数トラックにわたって１トラック毎に異なるアジマス角で記録する磁気記録再生装置において、前記アジマス角に応じた複数の記録再生用の磁気ヘッドと、前記それぞれの記録再生用の磁気ヘッドと同じアジマス角を持ち、記録時に同時再生可能なシリンダ上の位置に固定された同時再生用の磁気ヘッドと、データ取得状況を判別する判別手段と、前記記録再生用の磁気ヘッドと前記同時再生用の磁気ヘッドのシリンダ上の位置関係により生じる位相差を調整するために、前記記録再生用の磁気ヘッドから再生される再生信号を前記位相差分より大きく遅延させる遅延手段と、前記記録再生用の磁気ヘッドから再生され、前記遅延回路によって遅延した信号と前記記録再生用の磁気ヘッドと同じアジマス角を持つ前記同時再生用の磁気ヘッドから再生される再生信号とを切り換える切り換え手段と、前記切り換え手段を制御する切り換え制御手段と、前記切り換え手段の出力を記憶する記憶手段と、前記記憶手段に記憶されている再生データを映像データに変換する映像信号処理手段とを備え、前記判別手段が前記記録再生用の磁気ヘッドと前記同時再生用の磁気ヘッドから再生される再生信号の出力状態によってデータ取得状況を判別し、前記切り換え制御手段が通常再生時や可変速再生時に、前記判別手段が判別したデータ取得状況に基づいて前記切り換え手段を切り換えることを特徴とする磁気記録再生装置。
【発明の詳細な説明】
【０００１】
【発明の属する技術分野】
本発明は、磁気テープにディジタル記録した映像信号を回転磁気ヘッドを用いて再生する磁気記録再生装置に関して、特に通常再生、特殊再生を良好に行うことを特徴とするものである。
【０００２】
【従来の技術】
一般に、シリンダに固定された記録用の磁気ヘッドと同時再生用の磁気ヘッドを用いて、磁気テープに記録再生する磁気記録再生装置において、記録はシリンダに磁気テープを斜めに巻き付け、このテープを走行させながらシリンダを回転させることで、磁気テープの長手方向に対して所定のアジマス角を持つ記録トラックに記録用の磁気ヘッドを介して信号を記録する。再生は走行している磁気テープの記録トラックを回転するシリンダ上の再生用の磁気ヘッドで走査することにより信号を再生する。同時再生は、再生用の磁気ヘッドを記録用の磁気ヘッドに対して同時再生位置に固定することで実現する。
【０００３】
スロー再生は、記録トラックと再生用の磁気ヘッドの走査方向が異なるため、再生用の磁気ヘッドが記録トラックを斜めに横切りながら走査することになり、走査ごとに獲得した再生信号をメモリーに蓄積して１フレーム分のデータが再生できたとき映像信号として信号処理し出力する。
この従来の方式の磁気記録再生装置について、図１０、図１１、図１２、図１３、図１４を用いて説明する。
【０００４】
図１０は、従来の磁気記録再生装置の信号処理のブロック図、図１１は同装置での−１／２倍速スロー再生時に再生ヘッドがテープ上を走査したときの軌跡、図１２は図１１の軌跡をトラックスキャン時間と再生できるトラックナンバーの関係に置き換えたときのトレースパターン、図１３は同装置での−２／３倍速スロー再生時に再生ヘッドがテープ上を走査したときの軌跡、図１４は図１３の軌跡をトラックスキャン時間と再生できるトラックナンバーの関係に置き換えたときのトレースパターンである。
【０００５】
図１０で、１００１は映像信号が入力される入力端子、１００２は入力された映像信号がアナログ信号の場合はＡ／Ｄ変換してディジタル信号に、前記映像信号がコンポジット信号の場合はコンポーネント信号に変換し、圧縮、符号化等を行う映像信号処理回路、１００３は誤り訂正符号などを付加するためのメモリー、１００４はメモリー制御回路、１００５は変調する記録処理回路、１００６は記録用アンプ、１００７は記録ヘッドＡ（図ではＲＡと記す）、１００８は記録ヘッドＢ（図ではＲＢと記す）、１００９は同時再生ヘッドＡ（図ではＰＡと記す）、１０１０は同時再生ヘッドＢ（図ではＰＢと記す）、１０１１は再生用アンプ、１０１２は等価回路、１０１３は再生または伝送されたデータを復調する再生処理回路、１０１４は誤り訂正や修整などを行うためのメモリー、１０１５はメモリー制御回路、１０１６は復号、伸長をした後に所定の信号形態に変換する映像信号処理回路、１０１７は変換された映像データを出力する出力端子である。図１０において、記録ヘッドＡ１００７と同時再生ヘッドＡ１００９は同じアジマス角を持ち、記録ヘッドＢ１００８と同時再生ヘッドＢ１０１０は同じアジマス角を持つシリンダ上に配置された磁気ヘッドである。
【０００６】
以下、従来の磁気記録再生装置の動作について説明する。
入力端子１００１から入力された映像信号は、映像信号処理回路１００２で信号形態をディジルコンポーネント信号に変換し、圧縮、符号化されて出力される。変換された映像信号は記録用メモリ１００３に蓄積され、メモリ制御回路１００４によって誤り訂正符号などを付加されて出力される。誤り訂正符号を付加された映像信号は、記録処理回路１００５で変調を行い、記録用アンプ１００６を通して記録再生ヘッドＡ１００７や記録再生ヘッドＢ１００８から記録される。記録された信号は同時再生ヘッドＡ１００９や同時再生ヘッドＢ１０１０で同時再生または通常再生される。再生された信号は、アンプ１０１１で再生レベルを増幅し、等価回路１０１２で波形等価されて、再生処理回路１０１３で復調される。復調された信号は、再生用メモリ１０１４に蓄えられ、メモリ制御回路１０１５によって誤り訂正や修整されて、映像信号処理回路１０１６で復号、伸長して、適当な信号形態に変換され出力端子１０１７から出力される。
【０００７】
このように録画再生する磁気記録再生装置において、−１／２倍速スロー再生を行った場合の１スキャン毎のヘッドのテープ上の軌跡は図１１のようになり、その時のトラックスキャン時間と再生できるトラックナンバーの関係は図１２に示すようになる。ここで、トラックナンバー（図では＃０や＃−５と示す）の小数点以下の値は、テープ進行方向に対して垂直方向の該当トラック上の位置を示す。また、図のＳ１〜Ｓ１０はトラックスキャンによってトレースされるトレースナンバーを示し、その矢印は、再生されるトラック上のヘッド軌跡を示す。
【０００８】
このとき、同時再生ヘッドのヘッド幅は、記録ヘッドに対して幅広で（例えば、記録ヘッド幅：同時再生ヘッド幅＝１：１．２８）、ヘッドが２／３トラック幅以上、オントラックしていれば再生可能とする。この場合、図１１、図１２からわかるように−１／２倍速まではトラックナンバーの連続性を保ったまま再生ができる。つまり、各スキャン毎にデータが取れたり取れなかったりするが、すべてのトラック上のデータを再生できるのでノイズレススローが実現できる。例えば、トラックナンバー＃−５は、トレースナンバーＳ８、Ｓ１０により、トラック上のデータが再生できる。ノイズレススローとは、フレームの画像を完全に出力できるスロー再生である。しかし、図１３、図１４からわかるように−２／３倍速では間欠的にしかトラックナンバーを再生できないので、トラック上の一部のデータは再生できず、ノイズレススローは実現できない。
【０００９】
【発明が解決しようとする課題】
従来の磁気記録再生装置では、再生用の磁気ヘッドが同時再生を実現できるヘッド配置になっているため、ノイズのないスロー再生を実現できる倍速値が限定されていた。
本発明は上記従来の問題点を解決するもので、スローやサーチなどの特殊再生時の画質を改善できる磁気記録再生装置を提供することを目的とする。
【００１０】
【課題を解決するための手段】
上記課題を解決するために本発明は、複数の記録再生用の磁気ヘッドと、前記それぞれの記録再生用の磁気ヘッドと同じアジマス角を持ち、記録時に同時再生可能なシリンダ上の位置に固定された同時再生用の磁気ヘッドと、データ取得状況を判別する判別手段と、記録再生用の磁気ヘッドから再生される再生信号と記録再生用の磁気ヘッドと同じアジマス角を持つ同時再生用の磁気ヘッドから再生される再生信号とを切り換える切り換え手段と、切り換え手段の出力を記憶する記憶手段と、記憶手段に記憶されている再生データを映像データに変換する映像信号処理手段とを備えるものである。
【００１１】
または、複数の記録再生用の磁気ヘッドと、前記それぞれの記録再生用の磁気ヘッドと同じアジマス角を持ち、記録時に同時再生可能なシリンダ上の位置に固定された同時再生用の磁気ヘッドと、データ取得状況を判別する判別手段と、記録再生用の磁気ヘッドと同時再生用の磁気ヘッドのシリンダ上の位置関係により生じる位相差を調整するために、記録再生用の磁気ヘッドから再生される再生信号を位相差分より大きく遅延させる遅延手段と、前記遅延手段によって遅延した信号と、記録再生用の磁気ヘッドと同じアジマス角を持つ同時再生用の磁気ヘッドから再生される再生信号とを切り換える切り換え手段と、切り換え手段を制御する切り換え制御手段と、切り換え手段の出力を記憶する記憶手段と、記憶手段に記憶されている再生データを映像データに変換する映像信号処理手段とを備えるものである。
【００１２】
【発明の実施の形態】
本発明は、複数フィールド分の映像信号を、磁気テープの長手方向に対して傾斜する記録パターンで、複数トラックにわたって１トラック毎に異なるアジマス角で記録する磁気記録再生装置において、前記アジマス角に応じた複数の記録再生用の磁気ヘッドと、前記それぞれの記録再生用の磁気ヘッドと同じアジマス角を持ち、記録時に同時再生可能なシリンダ上の位置に固定された同時再生用の磁気ヘッドと、データ取得状況を判別する判別手段と、前記記録再生用の磁気ヘッドから再生される再生信号と前記同時再生用の磁気ヘッドから再生される再生信号とを切り換える切り換え手段と、前記切り換え手段の出力を記憶する記憶手段と、前記記憶手段に記憶されている再生データを映像データに変換する映像信号処理手段とを備え、前記判別手段が前記記録再生用の磁気ヘッドと前記同時再生用の磁気ヘッドからのそれぞれの出力信号の出力状態によってデータ取得状況を判別し、前記切り換え手段が前記判別手段の出力に基づいて再生信号を切り換えることを特徴とする磁気記録再生装置としたもので、記録された磁気テープを再生するに際し、判別手段がデータ取得状況から記録再生用の磁気ヘッドと同時再生用の磁気ヘッドのうち再生状態が良好な方の磁気ヘッドを判別して判別情報を発生し、その判別情報に基づいて切り替え手段が再生信号を切り替えるので、各磁気ヘッドからの再生信号の再生状態の良好な方を優先的に選択することができ、ヘッドクロッグ等により再生状態が悪くなったときは再生状態の良好な方の信号に切り替えることで通常再生を良好に行うことができるという作用を有する。
【００１３】
または、複数フィールド分の映像信号を、磁気テープの長手方向に対して傾斜する記録パターンで、複数トラックにわたって１トラック毎に異なるアジマス角で記録する磁気記録再生装置において、前記アジマス角に応じた複数の記録再生用の磁気ヘッドと、前記それぞれの記録再生用の磁気ヘッドと同じアジマス角を持ち、記録時に同時再生可能なシリンダ上の位置に固定された同時再生用の磁気ヘッドと、データ取得状況を判別する判別手段と、前記記録再生用の磁気ヘッドと前記同時再生用の磁気ヘッドのシリンダ上の位置関係により生じる位相差を調整するために、前記記録再生用の磁気ヘッドから再生される再生信号を前記位相差分より大きく遅延させる遅延手段と、前記記録再生用の磁気ヘッドから再生され、前記遅延回路によって遅延した信号と前記記録再生用の磁気ヘッドと同じアジマス角を持つ前記同時再生用の磁気ヘッドから再生される再生信号とを切り換える切り換え手段と、前記切り換え手段を制御する切り換え制御手段と、前記切り換え手段の出力を記憶する記憶手段と、前記記憶手段に記憶されている再生データを映像データに変換する映像信号処理手段とを備え、前記判別手段が前記記録再生用の磁気ヘッドと前記同時再生用の磁気ヘッドから再生される再生信号の出力状態によってデータ取得状況を判別し、前記切り換え制御手段が通常再生時や可変速再生時に、前記判別手段が判別したデータ取得状況に基づいて前記切り換え手段を切り換えることを特徴とする磁気記録再生装置としたものであり、記録された磁気テープを再生するに際し、判別手段がデータ取得状況から記録再生用の磁気ヘッドと同時再生用の磁気ヘッドのうち再生状態が良好な方の磁気ヘッドを判別して判別情報を発生し、切り替え制御手段が判別情報と遅延手段を通った記録再生用の磁気ヘッドからの再生信号と、記録再生用の磁気ヘッドと同じアジマス角を持つ同時再生用の磁気ヘッドから再生される再生信号を基に再生信号を切り替える制御をし、切り替え手段が信号を切り替えるので、再生状態の良好な方の磁気ヘッドからの再生信号を優先的に選択でき、スローやサーチなどの特殊再生時のように再生信号を連続的に取ることができないときにも、もう片方のヘッドで再生できたところは信号を切り替えることで補うことができ、通常再生、特殊再生とも良好に行うことができるという作用を有する。
【００１４】
以下、本発明の実施の形態について、図面を用いて説明する。ここで、以下に示す実施の形態による磁気記録再生装置は、複数フィールド分（例えば、２フィールド＝１フレーム分）の映像信号を１単位として、複数トラック（例えば、１０トラックなど）にわたって記録する、いわゆるセグンメント記録方式をとるヘリカルスキャンタイプの装置について述べる。
【００１５】
（実施の形態１）
図１は、本発明の実施の形態による磁気記録再生装置のブロック構成図であり、図２は記録再生ヘッドＢと同時再生ヘッドＢの静止時のトラックとの位置関係を示す図であり、図３は互換性のあるフォーマットのトラックと記録再生ヘッドＢと同時再生ヘッドＢの静止時の位置関係を示す図である。
【００１６】
図１において、１０１は映像信号が入力される入力端子、１０２は入力された映像信号がアナログ信号の場合はＡ／Ｄ変換したディジタル信号に、前記映像信号がコンポジット信号の場合はコンポーネント信号に変換し、圧縮、符号化を行う映像信号処理回路、１０３は誤り訂正符号の付加を行うためのメモリー、１０４はメモリー制御回路、１０５は変調する記録処理回路、１０６はアンプ、１０７は記録再生ヘッドＡ（図ではＲＰＡと記す）、１０８は記録再生ヘッドＢ（図ではＲＰＢと記す）、１０９は同時再生ヘッドＡ（図ではＰＡと記す）、１１０は同時再生ヘッドＢ（図ではＰＢと記す）、１１１は記録再生側アンプ、１１２は同時再生側アンプ、１１３は記録再生側等価回路、１１４は同時再生側等価回路、１１５はデータ取得状況を判別する判別回路、１１６は再生または伝送されたデータを復調する記録再生側再生処理回路、１１７は再生または伝送されたデータを復調する同時再生側再生処理回路、１１８は再生に用いる再生信号を切り替える切替回路、１１９は誤り訂正や修整を行うためのメモリー、１２０はメモリーを制御するメモリー制御回路、１２１は復号、伸張などを行い所定の信号形態に変換する映像信号処理回路、１２２は変換された映像データを出力する出力端子である。１２３は記録側等価回路のエンベロープ信号、１２４は同時再生側等価回路のエンベロープ信号、１２５は記録再生側再生処理回路１１６で復調、復号化された再生信号のシンクブロックスタート信号、１２６は記録再生側再生処理回路１１６で復調、復号化された再生信号の再生データ、１２７は同時再生側再生処理回路１１７で復調、復号化された再生信号のシンクブロックスタート信号、１２８は同時再生側再生処理回路１１７で復調、復号化された再生信号の再生データ、１２９は再生信号切り替え制御信号である。
【００１７】
図１において、記録再生ヘッドＡ１０７と同時再生ヘッドＡ１０９とは同じアジマス角を持ち、記録再生ヘッドＢ１０８と同時再生ヘッドＢ１１０とは同じアジマス角を持ち、各磁気ヘッドは、シリンダ上に配置されている。図２は静止時の記録再生ヘッドＢ１０８と同時再生ヘッドＢ１１０のトラックに対する位置関係を示す図で、記録再生ヘッドＢ１０８のヘッド幅に対して同時再生ヘッドＢ１１０のヘッド幅は幅広で、ヘッド幅比は例えば、記録再生ヘッド幅：同時再生ヘッド幅＝１：１．２８で、ヘッドが２／３トラック幅以上、オントラックしていれば再生可能とする。
【００１８】
以下、この磁気記録再生装置の動作について説明する。
自己録画再生については従来例と同じなので、本発明の特徴である記録再生ヘッドと同時再生ヘッドのヘッド切り替えの動作について記録再生ヘッドＢ１０８と同時再生ヘッドＢ１１０の再生信号の流れで説明する。
再生時、記録再生ヘッドＢ１０８と同時再生ヘッドＢ１１０は、どちらのヘッドも再生状態で、記録再生ヘッドＢ１０８と同時再生ヘッドＢ１１０の再生信号はアンプ１１１、１１２で増幅され、それぞれのヘッド側の等価回路１１３、１１４でエンベロープのレベルを検出し、ＰＬＬのアンロック状態が生じないようにクロック調整を行う。その際、エンベロープ信号１２３、１２４、シンクブロックスタート信号１２５、１２７、再生データ１２６、１２８を判別回路１１５に送り、前記各信号をもとに判別回路１１５で再生信号切り替え制御信号１２９を出し、それに基づいて切替回路１１８が再生信号を切り替える。
【００１９】
例えば、初期状態でデータ取得状況が良好であった方のヘッドを同時再生ヘッドＢ１１０とすると、再生中にヘッドクロッグなどにより同時再生ヘッドＢ１１０のデータ取得状況がかなり悪化した場合、同時再生ヘッドＢ１１０のエンベロープ信号１２４の振幅はかなり小さくなる。また、シンクブロックスタート信号１２７と再生データ１２８から誤り訂正のインナー訂正を行うと、誤り率は高くなる。そのとき、記録再生ヘッドＢ１０８のエンベロープ信号１２３の振幅が同時再生ヘッドＢ１１０のエンベロープ信号１２４の振幅より大きく、シンクブロックスタート信号１２５と再生データ１２６から誤り訂正のインナー訂正を行って求めた誤り率も同時再生ヘッドＢ１１０の出力するデータの誤り率より低ければ、そちらに切り替えるように切り替え制御信号１２９を出し、切替回路１１８を制御する。
【００２０】
またこのとき、同時再生ヘッドＢ１１０のヘッド幅が記録再生ヘッドＢ１０８のヘッド幅に対して１．２８倍幅広であるので、記録再生ヘッドＢ１０８で再生できるトラック幅と同時再生ヘッドＢ１１０で再生できるトラック幅は異なる。しかし通常は、記録トラック幅ａと記録再生ヘッドＢ１０８と同時再生ヘッドＢ１１０の関係は図２に示すものであり、記録トラック幅ａと記録再生ヘッドＢ１０８の幅と同時再生ヘッドＢ１１０の幅の比は例えば、記録トラック幅：記録再生ヘッド幅：同時再生ヘッド幅＝１：１．０６：１．３５であり、記録再生ヘッドＢ１０８も同時再生ヘッドＢ１１０も隣接トラックからのクロストークを考慮しても十分記録トラックを再生できる。
【００２１】
ところが、テープ上での物理的な記録フォーマット、つまり記録トラック幅だけが異なり、記録するデータの構成などは同じである互換性のあるテープ（記録トラック幅ｂと記録再生ヘッドＢ１０８と同時再生ヘッドＢ１１０の関係が図３に示すものであり、記録トラック幅ｂと記録再生ヘッドＢ１０８の幅と同時再生ヘッドＢ１１０の幅の比が例えば、記録トラック幅：記録再生ヘッド幅：同時再生ヘッド幅＝１：１．３８：１．７７であるもの）をこのヘッド構成で再生すると、記録再生ヘッドＢ１０８は隣接トラックからのクロストークの影響も受けるがヘッド幅比から言っても十分再生できる。しかし、同時再生ヘッドＢ１１０はクロストークのため十分な再生出力を得ることはできず、エンベロープ信号１２４の振幅もかなり小さくなってしまう。そのため判別回路１１５は、データ取得状況だけでなく互換性のあるフォーマットのテープの再生時をエンベロープ信号の振幅から容易に判断でき、そのテープに合った方の再生ヘッドで再生するように再生信号切替信号１２９を出力することができる。そのとき、磁気テープ上に書かれたフォーマット判別信号を再生データ１２６、１２８から読み出すことでもテープフォーマットの違いを認識でき、挿入テープの構造的な違いからも認識できる。
【００２２】
以上のように本実施の形態によれば、エンベロープ信号と再生データを用いて再生ヘッドの再生状態が良好な方の再生ヘッドを決定し、その良好な方の再生ヘッドからの再生データを優先的に選択するようにし、その信号が途切れた場合、もう片方のヘッドから再生データが再生されていればその信号を選択するように切替を行うので、従来の再生専用ヘッド１系統の再生に比べ、良好な再生を維持することができる。また、磁気テープのフォーマットの違いを判別して、再生ヘッドを切り替えることができるので他の互換性のあるフォーマットのテープも再生することができる。
【００２３】
なお、本実施の形態では、記録再生ヘッドと同時再生ヘッドのヘッド幅比は、１：１．２８としたが、今回のものに限るものではない。
（実施の形態２）
図４は、本発明の実施の形態２による磁気記録再生装置のブロック構成図、図５は、同装置での２倍速高速再生時に記録再生ヘッドと同時再生ヘッドがテープ上を走査したときの軌跡をトラックスキャン時間と再生できるトラックナンバーに置き換えたときのトレースパターン、図６は、図５のトレースパターンを位相調整した後のトレースパターン、図７は、切り替え制御信号４３２のタイムテーブル、図８は、同装置での−２／３倍速スロー再生時に記録再生ヘッドと同時再生ヘッドがテープ上を走査したときの軌跡をトラックスキャン時間と再生できるトラックナンバーに置き換えたときのトレースパターン、図９は、図８のトレースパターンを位相調整した後のトレースパターンである。
【００２４】
図４において、４０１は映像信号が入力される入力端子、４０２は入力された映像信号がアナログ信号の場合はＡ／Ｄ変換したディジタル信号に、前記映像信号がコンポジット信号の場合はコンポーネント信号に変換し、圧縮、符号化を行う映像信号処理回路、４０３は誤り訂正符号を付加するためのメモリー、４０４はメモリー制御回路、４０５は変調する記録処理回路、４０６はアンプ、４０７は記録再生ヘッドＡ（図ではＲＰＡと記す）、４０８は記録再生ヘッドＢ（図ではＲＰＢと記す）、４０９は同時再生ヘッドＡ（図ではＰＡと記す）、４１０は同時再生ヘッドＢ（図ではＰＢと記す）、４１１は記録再生側アンプ、４１２は同時再生側アンプ、４１３は記録再生側等価回路、４１４は同時再生側等価回路、４１５はデータ取得状況をを判別する判別回路、４１６は再生されたデータを復調する記録再生側再生処理回路、４１７は再生されたデータを復調する同時再生側再生処理回路、４１８はヘッド間の位相差を調整する遅延回路、４１９はヘッドの切り替えタイミングを調整する切り替え制御回路、４２０はヘッドを切り替える切替回路、４２１は誤り訂正や修整のためのメモリー、４２２はメモリーを制御するメモリー制御回路、４２３は復号、伸張したのち所定の信号形態に変換する映像信号処理回路、４２４は変換された映像データを出力する出力端子である。４２５は記録再生側等価回路４１３から出力されるエンベロープ信号、４２６は同時再生側等価回路４１４から出力されるエンベロープ信号、４２７は記録再生側再生処理回路４１６で復調された再生信号のシンクブロックの開始点を示すシンクブロックスタート信号、４２８は記録再生側再生処理回路４１６で復調された再生信号の再生データ、４２９は同時再生側再生処理回路４１７で復調された再生信号のシンクブロックの開始点を示すシンクブロックスタート信号、４３０は同時再生側再生処理回路４１７で復調された再生信号の再生データ、４３１は判別回路４１５が判別したデータ取得状況を示す判別信号、４３２は切り替え制御回路４１９が切り替え回路４２０を制御する切り替え制御信号、４３３はシンクブロックスタート信号４２７を位相調整のために遅延させた遅延シンクブロックスタート信号、４３４は再生データ４２８を位相調整のために遅延させた遅延再生データである。
【００２５】
図４において、記録再生ヘッドＡ４０７と同時再生ヘッドＡ４０９は同じアジマス角を持ち、記録再生ヘッドＢ４０８と同時再生ヘッドＢ４１０は同じアジマス角を持つヘッドである。静止時の記録再生ヘッドＢ４０８と同時再生ヘッドＢ４１０のトラックに対する位置関係は図２と同様である。なお、図２における符号は、１０８が４０８に、１１０が４１０に、各々対応する。記録再生ヘッドのヘッド幅に対して同時再生ヘッドのヘッド幅は幅広で、ヘッド幅比は例えば、記録再生ヘッド幅：同時再生ヘッド幅＝１：１．２８で、ヘッドが２／３トラック幅以上、オントラックしていれば再生可能とする。
【００２６】
以下、この磁気記録再生装置の動作について説明する。
自己録画再生については従来例と同じなので、本発明の特徴である記録再生ヘッドと同時再生ヘッドのヘッド切り替えの動作について前記記録再生ヘッドＢ４０８と前記同時再生ヘッドＢ４１０の再生信号の流れで説明する。
再生時、記録再生ヘッドＢ４０８と同時再生ヘッドＢ４１０は、どちらのヘッドも再生状態で、記録再生ヘッドＢ４０８の再生信号は記録再生側アンプ４１１で増幅し、同時再生ヘッドＢ４１０の再生信号は同時再生側アンプ４１２で増幅し、それぞれのヘッド側の等価回路４１３、４１４でエンベロープのレベルを検出し、ＰＬＬのアンロック状態が生じないようにクロック調整を行う。その際、エンベロープ信号４２５、４２６とシンクブロックスタート信号４２７、４２９、再生データ４２８、４３０を判別回路４１５に送り、判別回路４１５でデータ取得状況の良い方のヘッドを示す判別信号４３１を出し、切り替え制御回路４１９は判別信号４３１、シンクブロックスタート信号４２９、再生データ４３０、遅延シンクブロックスタート信号４３３、遅延再生データ４３４を用いて、再生信号として優先的に用いる方の信号を選択したり、遅延再生データ４３４と同時再生ヘッドからの再生データ４３０を補間しあえるように切替回路４２０を制御する切り替え制御信号４３２を出し、切替回路４２０でスイッチ切替を行う。
【００２７】
判別回路４１５は、エンベロープ信号４２５、４２６とシンクブロックスタート信号４２７、４２９と再生データ４２８、４３０から記録再生ヘッドＢ４０８と同時再生ヘッドＢ４１０のデータ取得状況を比較する。エンベロープ信号４２５と４２６からは、振幅の大きい方をデータ取得状況の良いヘッドとする。シンクブロックスタート信号４２７、４２９と再生データ４２８、４３０からは誤り訂正のインナー訂正だけを行って誤り率を求め、再生データの誤り率の低い方をデータ取得状況の良好な方のヘッドとして決定したり、シンクブロックスタート信号が出力されているかどうかでデータ取得状況の良好な方のヘッドを決める。この決め方は、前記複数の決定方法それぞれを単独で用いても組み合わせて用いてもよい。１つの組み合わせの例として、誤り率とエンベロープ信号の振幅を用いるとする。このときの決め方として、記録再生ヘッドＢ４０８と同時再生ヘッドＢ４１０どちらからの再生データも完全に訂正できる誤り率ならば、エンベロープ信号の振幅の大きい方とし、どちらかの誤り率が訂正不能なレベルであればその反対の方の再生データを用いるようにし、両方とも訂正不能な誤り率であれば同時再生ヘッドからの再生データとする。このように判別回路４１５で判別した方のヘッドからの再生データを優先的に用いるように切り替え制御回路４１９に判別信号４３１として送る。
【００２８】
また、同時再生ヘッドＢ４１０のヘッド幅が記録再生ヘッドＢ４０８のヘッド幅に対して幅広であるので、記録再生ヘッドＢ４０８で再生できるトラック幅と同時再生ヘッドＢ４１０で再生できるトラック幅は異なる。
しかし通常は、記録トラック幅ａと記録再生ヘッドＢ４０８と同時再生ヘッドＢ４１０の関係は図２に示すものであり、記録トラック幅ａと記録再生ヘッドＢ４０８の幅と同時再生ヘッドＢ４１０の幅の比は例えば、記録トラック幅：記録再生ヘッド幅：同時再生ヘッド幅＝１：１．０６：１．３５であり、記録再生ヘッドＢ４０８も同時再生ヘッドＢ４１０も隣接トラックからのクロストークを考慮しても十分記録トラックを再生できる。
【００２９】
ところが、テープ上での物理的な記録フォーマット、つまり記録トラック幅だけが異なり、記録するデータの構成などは同じである互換性のあるテープ（記録トラック幅ｂと記録再生ヘッドＢ４０８と同時再生ヘッドＢ４１０の関係が図３に示すものであり、記録トラック幅ｂと記録再生ヘッドＢ４０８の幅と同時再生ヘッドＢ４１０の幅の比が例えば、記録トラック幅：記録再生ヘッド幅：同時再生ヘッド幅＝１：１．３８：１．７７であるもの）をこのヘッド構成で再生すると、記録再生ヘッドＢ４０８は隣接トラックからのクロストークの影響も受けるがヘッド幅比から言っても再生できる。しかし、同時再生ヘッドＢ４１０はクロストークのため十分な再生出力を得ることはできず、エンベロープ信号４２６の振幅もかなり小さくなってしまう。そのため判別回路４１５は、データ取得状況だけでなく互換性のあるフォーマットのテープの再生時をエンベロープ信号の振幅から容易に判断でき、そのテープに合った方の再生ヘッドで再生するように判別信号４３１を出力することができる。そのとき、磁気テープ上に書かれたフォーマット判別信号を再生データ４２８、４３０から読み出すことでもテープフォーマットの違いを認識でき、挿入テープの構造的な違いからも認識できる。
【００３０】
切り替え制御回路４１９は、判別信号４３１とシンクブロックスタート信号４２９と再生データ４３０と遅延シンクブロックスタート信号４３３と遅延再生データ４３４を用いて以下に示すように切替回路４１９を制御する。
切り替え制御回路４１９は、通常再生時は判別信号４３１に基づいたデータ取得状況の良好な再生ヘッドからの再生データを優先的に選択し、その再生ヘッドからの再生データがヘッドクロッグ等の原因により途切れた場合、もう片方のヘッドからの再生が良好に行われていれば、その再生データを選択するように切り替えを行う。切り替えの単位は、シンクブロック単位で行う。シンクブロックは、データをテープ上に書く際の基本単位である。
【００３１】
スローやサーチなどの特殊再生時も、判別信号４３１に基づいた再生ヘッドからの再生データを優先的に選択するが、例えば−２／３倍速スロー再生時は記録再生ヘッドＢ４０８と同時再生ヘッドＢ４１０のトラックスキャン時間と再生できるトラックナンバーの関係（トレースパターン）は、図８に示すように同軌跡ではない。この図８が示すトレースパターンは、従来例の説明で用いた図１１、図１３と同じ様に記録再生ヘッドＢ４０８と同時再生ヘッドＢ４１０について各ヘッドのテープ上の軌跡から求めたものである。サーチ時も、記録再生ヘッドＢ４０８と同時再生ヘッドＢ４１０のヘッド軌跡が、図５に示すように同軌跡ではないので、判別信号４３１に基づく再生ヘッドで再生データを得ることができないところをもう片方の再生ヘッドで再生できる場合は、再生信号を切り替え、再生信号の獲得を増やす。そのときの切り替えは、シンクブロック単位で行う。しかし、記録再生ヘッドＢ４０８と同時再生ヘッドＢ４１０は同時再生ができる位置関係になっているので、その位置に相当する位相差を持ってデータが再生されるが、再生できるデータの取れる時間はほぼ重なってくる。そのため、各ヘッドで再生できるトラック上の位置が異なっていたとしても切り替えてデータの獲得を増やせない。そこで、再生されるデータが時間的に重ならないように位相調整し、データの切り替えを行う。
【００３２】
例えば、サーチ（２倍）でのスイッチ切り替えについて図５、図６、図７を用いて説明する。記録再生ヘッドと同時再生ヘッドのトレースパターンは図５に示すように、各ヘッドの取り付け位置に相当する位相差ｙがある。そこで先行している記録再生ヘッドからの再生データを位相差分＋α遅延させ、同時再生ヘッドからの再生データに対して時間的に遅れた図６のようなトレースパターンの関係にする。位相差分以上、つまりα分多く遅延させることにより、データに時間差が生じ、かつデータ誤りの可能性が高くなる部分、つまりデータ再生ができなくなる少し前の部分を、もう片方の再生ヘッドからのデータでメモリ４２１に２度書きすることができる。このとき、２度書きするデータの方が先のデータより誤り率が大きいときは置き換えないようにするので、２度書きするデータは誤り率が低い方のデータを用いることができる。また、シンクブロック単位で切り替えることで、シンクブロック毎にを確実に再生できる。そして、同時再生ヘッドで再生できないところを、記録再生ヘッドが再生できるところは遅延回路４１８で位相調整をして時間差を持たせることで、データを補間できるようにできるので再生データの獲得率が上がり、画面単位での絵の更新率が上がり画質が向上する。
【００３３】
この切り替え制御のタイムテーブルを、図７を用いて説明する。図７で、優先的に選択する再生信号は記録再生ヘッドからのものとする。図７（ａ）は位相調整された記録再生ヘッドからの再生データのシンクブロックの開始点を示す遅延シンクブロックスタート信号４３３、図７（ｂ）は位相調整された記録再生ヘッドの再生データである遅延再生データ４３４、図７（ｃ）は同時再生ヘッドからの再生データのシンクブロックの開始点を示すシンクブロックスタート信号４２９、図７（ｄ）は同時再生ヘッドの再生データ４３０、図７（ｅ）はスイッチ切り替え制御信号４３２で、−１が同時再生ヘッド側、＋１が記録再生ヘッド側、０はどちらでもない場合である。
【００３４】
図７では、優先すべき記録再生ヘッドＢ４０８からの再生データ４２８が来なくなってからも、３シンクブロック間スイッチを切り替えない。これは、トラック上のパターンにギャップがあり、データが一瞬とぎれた場合にも優先側にスイッチをしておくことで誤スイッチングを防ぐためである。そして３シンクブロック間待っても優先側のデータが来ないとき、同時再生ヘッドからのデータがある場合スイッチを切り替え、データを補間する。優先側のヘッドへ戻るときは、優先側のデータが来始めた次のシンクブロックですぐに切り替えて優先を保つ。これにより、再生中のシンクブロックは確実にデータとして使用される。タイムテーブルでの優先を保っておく時間は３シンクブロック時間に限らず、記録フォーマットやヘッド配置などに従って変更してもよい。
【００３５】
スローにおいてもサーチの時と同様に、優先側のヘッドで再生できないところをもう片方のヘッドが再生できる場合は、遅延回路４１８で位相調整し、再生できるデータで補うことでデータ獲得率が上がり、ノイズレススローができる倍速の範囲を広げることができる。例えば、−２／３倍速スローの際のトレースパターンは図８に示すようになる。そこで、位相調整した遅延再生データ４３４を同時再生ヘッドからの再生データ４３０に対して時間的に遅れた図９のような位相関係にし、図７で説明した時と同じタイムテーブルに従った切り替え方法でスイッチ切り替えを行うことで獲得データを増やす。このようにすることで、図１０のような従来の場合にはノイズレススローができない倍速においても、トラックナンバーの連続性を保った再生が実現できるようになる。
【００３６】
以上のように本実施例によれば、エンベロープ信号とシンクブロックスタート信号、再生データを用いて再生ヘッドのデータ取得状況が良好な方を決定し、その良好な方の再生ヘッドからの再生信号を優先的に選択するようにし、そのヘッドからの信号が途切れた場合、もう片方のヘッドからの信号が再生されていればその信号を選択するように切替を行うので、従来の再生専用ヘッド１系統の再生に比べ良好な再生を維持することができる。また、スローやサーチなどの特殊再生時も、従来の再生専用ヘッドだけによる特殊再生に比べ、ノイズレススローの実現できる倍速の拡大、サーチ、スロー時の再生信号の獲得を増やすことができるだけでなく、誤り率が高くなる所のデータを２度書きすることでより誤り率の低いデータに確実に置き換えることができる。
【００３７】
なお、本実施の形態での記録再生ヘッドと同時再生ヘッドのヘッド幅比は、今回のものに限ったものではない。
【００３８】
【発明の効果】
以上説明したように本発明によれば、ノイズレススローの倍速の拡大やスローやサーチなどの特殊再生も同時再生を実現しながら再生信号の獲得を増やすことができるので、視覚的な画質を改善することができる。
また、再生状態の良い再生ヘッドを選択して再生できるので、ヘッド幅から考えてある一方のヘッドでのみ再生できるような互換フォーマットなども適切な方の再生ヘッドを選択でき、良好な再生が可能である。
【図面の簡単な説明】
【図１】本発明の実施の形態１における磁気記録再生装置の構成を示すブロック図
【図２】記録再生ヘッドと同時再生ヘッドのトラックに対する位置関係を示す図
【図３】互換性のあるフォーマットのトラックでの記録再生ヘッドと同時再生ヘッドの位置関係を示す図
【図４】本発明の実施の形態２における磁気記録再生装置の構成を示すブロック図
【図５】同磁気記録再生装置において２倍速再生を行った時の記録再生ヘッドと同時再生ヘッドのトラックスキャン時間と再生できるトラックナンバーの関係を示す図
【図６】同磁気記録再生装置において２倍速再生を行った時の位相調整後の記録再生ヘッドと同時再生ヘッドのトラックスキャン時間と再生できるトラックナンバーの関係を示す図
【図７】切換制御回路でのスイッチ切替制御のタイムテーブルを示す図
【図８】本発明の実施の形態２の磁気記録再生装置において−２／３倍速再生を行った時の記録再生ヘッドと同時再生ヘッドのトラックスキャン時間と再生できるトラックナンバーの関係を示す図
【図９】同磁気記録再生装置において−２／３倍速再生を行った時の位相調整後の記録再生ヘッドと同時再生ヘッドのトラックスキャン時間と再生できるトラックナンバーの関係を示す図
【図１０】従来の磁気記録再生装置の構成を示すブロック図
【図１１】従来の磁気記録再生装置において−１／２倍速再生を行った時の同時再生ヘッドのテープ上の軌跡を示す模式図
【図１２】従来の磁気記録再生装置において−１／２倍速再生を行った時の同時再生ヘッドのトラックスキャン時間と再生できるトラックナンバーの関係を示す図
【図１３】従来の磁気記録再生装置において−２／３倍速再生を行った時の同時再生ヘッドのテープ上の軌跡を示す模式図
【図１４】従来の磁気記録再生装置において−２／３倍速再生を行った時の同時再生ヘッドのトラックスキャン時間と再生できるトラックナンバーの関係を示す図
【符号の説明】
１０２、４０２  映像信号処理回路
１０３、４０３  メモリ
１０４、４０４  メモリ制御回路
１０５、４０５  記録処理回路
１０６、１１１、１１２、４０６、４１１、４１２  アンプ
１０７、１０８、４０７、４０８  記録再生ヘッド
１０９、１１０、４０９、４１０  同時再生ヘッド
１１３、１１４、４１３、４１４  等価回路
１１５、４１５  判別回路
１１６、１１７、４１６、４１７  再生処理回路
１１８、４２０  スイッチ
１１９、４２１  メモリ
１２０、４２２  メモリ制御回路
１２１、４２３  映像信号処理回路
４１８  遅延回路
４１９  切り替え制御回路
【図１】
0003572759.tif 000002
【図２】
0003572759.tif 000003
【図３】
0003572759.tif 000004
【図４】
0003572759.tif 000005
【図５】
0003572759.tif 000006
【図６】
0003572759.tif 000007
【図７】
0003572759.tif 000008
【図８】
0003572759.tif 000009
【図９】
0003572759.tif 000010
【図１０】
0003572759.tif 000011
【図１１】
0003572759.tif 000012
【図１２】
0003572759.tif 000013
【図１３】
0003572759.tif 000014
【図１４】
0003572759.tif 000015